(57)【要約】      （修正有）【課題】共鳴周波数をフィードバック周波数と区別して検出できるようにする。【解決手段】共鳴周波数検出方法は、共鳴空間に配置されたスピーカから、所定時間持続する基準周波数信号を拡声させて、該共鳴空間に配置されたマイクロホンによって受音し、該マイクロホンの出力信号の減衰特性を測定する減衰特性測定工程を備えており、該減衰特性に基づいて、該共鳴空間の共鳴周波数を検出する。該基準周波数信号は、特定周波数の正弦波信号又は特定周波数を中心とした所定周波数幅内に成分を有する信号である。【選択図】図１８
2008252932.tif 000002
【特許請求の範囲】
【請求項１】
共鳴空間に配置されたスピーカから、所定時間持続する基準周波数信号を拡声させて、該共鳴空間に配置されたマイクロホンによって受音し、該マイクロホンの出力信号の減衰特性を測定する減衰特性測定工程を備え、
該減衰特性に基づいて、該共鳴空間の共鳴周波数を検出する共鳴周波数検出方法であって、
該基準周波数信号が、特定周波数の正弦波信号又は特定周波数を中心とした所定周波数幅内に成分を有する信号である、共鳴周波数検出方法。
【請求項２】
共鳴空間に配置されたスピーカから、所定時間持続する基準周波数信号と、該共鳴空間に配置されたマイクロホンの出力信号とを拡声させて、該マイクロホンによって受音し、該マイクロホンの出力信号の減衰特性を測定する減衰特性測定工程を備え、
該減衰特性に基づいて、該共鳴空間の共鳴周波数を検出する共鳴周波数検出方法であって、
該基準周波数信号が、特定周波数の正弦波信号又は特定周波数を中心とした所定周波数幅内に成分を有する信号である、共鳴周波数検出方法。
【請求項３】
該減衰特性から得られる減衰速度が、所定の減衰速度よりも遅いとき、該基準周波数信号の特定周波数を該共鳴周波数と判断する、請求項１又は２記載の共鳴周波数検出方法。
【請求項４】
共鳴空間に配置されたスピーカから、断続的に複数回繰り返される基準周波数信号と、該共鳴空間に配置されたマイクロホンの出力信号を０以上の遅延時間で遅延させた遅延信号とを拡声させて、該マイクロホンによって受音し、該マイクロホンの出力信号の減衰特性を測定する減衰特性測定工程を備え、
該減衰特性に基づいて、該共鳴空間の共鳴周波数を検出する共鳴周波数検出方法であって、
該基準周波数信号の断続的な繰り返しに同期して、該遅延時間が変化し、
該基準周波数信号が、特定周波数の正弦波信号又は特定周波数を中心とした所定周波数幅内に成分を有する信号である、共鳴周波数検出方法。
【請求項５】
該遅延時間の変化に起因して該減衰特性が変化するか否かを判断し、該遅延時間の変化に起因して該減衰特性が変化すると判断したときは、該基準周波数信号の特定周波数を共鳴周波数とは判断しない、請求項４記載の共鳴周波数検出方法。
【請求項６】
共鳴空間に配置されたスピーカから、断続的に複数回繰り返される基準周波数信号と、該共鳴空間に配置されたマイクロホンの出力信号とを拡声させる第１拡声状態、または、該断続的に複数回繰り返される基準周波数信号と、該共鳴空間に配置されたマイクロホンの出力信号の位相を反転させた位相反転信号とを拡声させる第２拡声状態を選択し、該マイクロホンによって受音し、該マイクロホンの出力信号の減衰特性を測定する減衰特性測定工程を備え、
該減衰特性に基づいて、該共鳴空間の共鳴周波数を検出する共鳴周波数検出方法であって、
該基準周波数信号の断続的な繰り返しに同期して、拡声状態が、該第１拡声状態から該第２拡声状態へ、または、該第２拡声状態から該第１拡声状態へ変更され、
該基準周波数信号が、特定周波数の正弦波信号又は特定周波数を中心とした所定周波数幅内に成分を有する信号である、共鳴周波数検出方法。
【請求項７】
該拡声状態の変更に起因して該減衰特性が変化するか否かを判断し、
該拡声状態の変更に起因して該減衰特性が変化すると判断したときは、該基準周波数信号の特定周波数を共鳴周波数とは判断しない、請求項６記載の共鳴周波数検出方法。
【請求項８】
該基準周波数信号の特定周波数を変化させつつ、該減衰特性測定工程が複数回繰り返される、請求項１乃至７のいずれか一の項に記載の共鳴周波数検出方法。
【請求項９】
音源手段と、測定手段とを備え、
該音源手段は測定用信号を発生して出力することができ、
該測定用信号は、所定時間持続する基準周波数信号であり、
該基準周波数信号は、特定周波数の正弦波信号又は特定周波数を中心とした所定周波数幅内に成分を有する信号であり、
該測定手段は、マイクロホンの出力信号を入力可能であり、
該測定手段は、該マイクロホンの出力信号の減衰特性を測定し、該減衰特性に基づいて、共鳴周波数を検出する、共鳴周波数検出装置。
【請求項１０】
音源手段と、信号出力手段と、測定手段とを備え、
該音源手段は測定用信号を発生し、
該測定用信号は、所定時間持続する基準周波数信号であり、
該基準周波数信号は、特定周波数の正弦波信号又は特定周波数を中心とした所定周波数幅内に成分を有する信号であり、
該信号出力手段は、該音源手段からの測定用信号と、マイクロホンの出力信号を入力可能であり、
該信号出力手段は、該測定用信号と、該マイクロホンの出力信号とをスピーカで拡声させるために出力可能であり、
該測定手段は、該マイクロホンの出力信号を入力可能であり、
該測定手段は、該マイクロホンの出力信号の減衰特性を測定し、該減衰特性に基づいて、共鳴周波数を検出する、共鳴周波数検出装置。
【請求項１１】
該測定手段は、該減衰特性から得られる減衰速度が所定の減衰速度よりも遅いか否かを判断し、該減衰特性から得られる減衰速度が該所定の減衰速度よりも遅いと判断したとき、該基準周波数信号の特定周波数を該共鳴周波数と判断する、請求項９又は１０記載の共鳴周波数検出装置。
【請求項１２】
音源手段と、信号出力手段と、測定手段とを備え、
該音源手段は測定用信号を発生し、
該測定用信号は、断続的に複数回繰り返される基準周波数信号であり、
該基準周波数信号は、特定周波数の正弦波信号又は特定周波数を中心とした所定周波数幅内に成分を有する信号であり、
該信号出力手段は、該音源手段からの測定用信号と、マイクロホンの出力信号とを入力可能であり、
該信号出力手段は、該測定用信号と、該マイクロホンの出力信号を０以上の遅延時間で遅延させた遅延信号とをスピーカで拡声させるために出力可能であり、
該信号出力手段は、該基準周波数信号の断続的な繰り返しに同期して該遅延時間を変化させ、
該測定手段は、該マイクロホンの出力信号を入力可能であり、
該測定手段は、該マイクロホンの出力信号の減衰特性を測定し、該減衰特性に基づいて、共鳴周波数を検出する、共鳴周波数検出装置。
【請求項１３】
該測定手段は、該遅延時間の変化に起因して該減衰特性が変化するか否かを判断し、該遅延時間の変化に起因して該減衰特性が変化すると判断したときは、該基準周波数信号の特定周波数を共鳴周波数とは判断しない、請求項１２記載の共鳴周波数検出装置。
【請求項１４】
音源手段と、信号出力手段と、測定手段とを備え、
該音源手段は測定用信号を発生し、
該測定用信号は、断続的に複数回繰り返される基準周波数信号であり、
該基準周波数信号は、特定周波数の正弦波信号又は特定周波数を中心とした所定周波数幅内に成分を有する信号であり、
該信号出力手段は、該音源手段からの測定用信号と、マイクロホンの出力信号とを入力可能であり、
該信号出力手段はその状態を、該測定用信号と、該マイクロホンの出力信号とをスピーカで拡声させるために出力する第１出力状態、または、該測定用信号と、該マイクロホンの出力信号の位相を反転させた位相反転信号とを該スピーカで拡声させるために出力する第２出力状態に、選択的に設定可能であり、
該信号出力手段の状態は、該基準周波数信号の断続的な繰り返しに同期して、該第１出力状態から該第２出力状態へ、または、該第２出力状態から該第１出力状態へ変更され、
該測定手段は、該マイクロホンの出力信号を入力可能であり、
該測定手段は、該マイクロホンの出力信号の減衰特性を測定し、該減衰特性に基づいて、共鳴周波数を検出する、共鳴周波数検出装置。
【請求項１５】
該測定手段は、該信号出力手段の状態の変更に起因して該減衰特性が変化するか否かを判断し、該信号出力手段の状態の変更に起因して該減衰特性が変化すると判断したときは、該基準周波数信号の特定周波数を共鳴周波数とは判断しない、請求項１４記載の共鳴周波数検出装置。
【請求項１６】
該音源手段が、該基準周波数信号の特定周波数を変化させつつ、測定用信号を複数回発生し、
該複数回の測定用信号の発生の度に、該測定手段が共鳴周波数を検出する、請求項９乃至１５のいずれか一の項に記載の共鳴周波数検出装置。
【発明の詳細な説明】
【技術分野】
【０００１】
この出願に係る発明は、共鳴空間の共鳴周波数を検出するための共鳴周波数検出方法および共鳴周波数検出装置に関する。
【背景技術】
【０００２】
共鳴空間の共鳴周波数を検出する必要が生ずる場合がある。例えば、ホールや体育館等にスピーカ等の音響設備を設置し、スピーカからの拡声音を放射するとき、この空間（音響設備が配された拡声空間）の共鳴周波数のために、スピーカからの音楽や話声が聞き取りにくくなることがある。つまり、スピーカからの拡声音に共鳴周波数の成分が多く含まれると、該拡声空間においてこの成分の周波数で共鳴が起こるのである。共鳴音は「ウォンウォン・・・」とか「ファンファン・・・」というように聞こえる。この共鳴音は、本来、スピーカから放射しようとする音ではなく、スピーカからの音楽や話声を聞き取りにくくする。
【０００３】
このことを防止するには、拡声空間における共鳴周波数を検出し、音響設備においてスピーカよりも前段に、この共鳴周波数の成分を減衰させるようなディップフィルタ等を設けるとよい。すると、この拡声空間において共鳴が起こりにくくなり、スピーカからの音楽や話声が聞きやすくなる。このディップフィルタの周波数特性を決定するためには、まず、この拡声空間の共鳴周波数を検出しなければならない。
【０００４】
従来は、音響設備のオペレータや測定者が自らの聴覚に頼ってスピーカの拡声音や共鳴音を聞き分けて共鳴周波数を判断していた。
【発明の開示】
【発明が解決しようとする課題】
【０００５】
しかし、このような聞き分けによって共鳴周波数であるか否かを判断するには、ある程度の熟練、経験を要する。また、このような熟練、経験に頼る検出であれば、必ずしも正確な共鳴周波数の検出を行うことはできない。
【０００６】
しかも、ある程度の熟練者であっても、聴覚上で共鳴周波数とフィードバック周波数とを聞き分けるのは困難である。共鳴周波数は、共鳴空間の特徴によって定まる周波数であり、フィードバック周波数は電気音響系を含むフィードバックループの構成によって定まる周波数であるが、聴覚上、両者が似たように聞こえることがあるからである。そして、これらのことが、拡声空間等に設置される音響設備の自動測定・自動調整のための障害にもなっていた。
【０００７】
本願発明は、経験や熟練を必要とせず、正確に共鳴周波数を検出することができるような、共鳴周波数検出方法およびその装置を提供することを目的とする。特に、共鳴周波数をフィードバック周波数と区別して検出できるような、共鳴周波数検出方法およびその装置を提供することを目的とする。
【課題を解決するための手段】
【０００８】
上記課題を解決するため、本願発明にかかる共鳴周波数検出方法は、共鳴空間に配置されたスピーカから、所定時間持続する基準周波数信号を拡声させて、該共鳴空間に配置されたマイクロホンによって受音し、該マイクロホンの出力信号の減衰特性を測定する減衰特性測定工程を備え、該減衰特性に基づいて、該共鳴空間の共鳴周波数を検出する共鳴周波数検出方法であって、該基準周波数信号が、特定周波数の正弦波信号又は特定周波数を中心とした所定周波数幅内に成分を有する信号である。
【０００９】
また、上記課題を解決するため、本願発明にかかる共鳴周波数検出装置は、音源手段と、測定手段とを備え、該音源手段は測定用信号を発生して出力することができ、該測定用信号は、所定時間持続する基準周波数信号であり、該基準周波数信号は、特定周波数の正弦波信号又は特定周波数を中心とした所定周波数幅内に成分を有する信号であり、該測定手段は、マイクロホンの出力信号を入力可能であり、該測定手段は、該マイクロホンの出力信号の減衰特性を測定し、該減衰特性に基づいて、共鳴周波数を検出する。
【００１０】
また、上記課題を解決するため、本願発明にかかるさらにもう一つの共鳴周波数検出方法は、共鳴空間に配置されたスピーカから、所定時間持続する基準周波数信号と、該共鳴空間に配置されたマイクロホンの出力信号とを拡声させて、該マイクロホンによって受音し、該マイクロホンの出力信号の減衰特性を測定する減衰特性測定工程を備え、該減衰特性に基づいて、該共鳴空間の共鳴周波数を検出する共鳴周波数検出方法であって、該基準周波数信号が、特定周波数の正弦波信号又は特定周波数を中心とした所定周波数幅内に成分を有する信号である。
【００１１】
また、上記課題を解決するため、本願発明にかかるさらにもう一つの共鳴周波数検出装置は、音源手段と、信号出力手段と、測定手段とを備え、該音源手段は測定用信号を発生し、該測定用信号は、所定時間持続する基準周波数信号であり、該基準周波数信号は、特定周波数の正弦波信号又は特定周波数を中心とした所定周波数幅内に成分を有する信号であり、該信号出力手段は、該音源手段からの測定用信号と、マイクロホンの出力信号を入力可能であり、該信号出力手段は、該測定用信号と、該マイクロホンの出力信号とをスピーカで拡声させるために出力可能であり、該測定手段は、該マイクロホンの出力信号を入力可能であり、該測定手段は、該マイクロホンの出力信号の減衰特性を測定し、該減衰特性に基づいて、共鳴周波数を検出する。
【００１２】
上記の方法・装置において、該減衰特性から得られる減衰速度が、所定の減衰速度よりも遅いとき、該基準周波数信号の特定周波数を該共鳴周波数と判断するようにしてもよい。
【００１３】
また、上記課題を解決するため、本願発明にかかるさらにもう一つの共鳴周波数検出方法は、共鳴空間に配置されたスピーカから、断続的に複数回繰り返される基準周波数信号と、該共鳴空間に配置されたマイクロホンの出力信号を０以上の遅延時間で遅延させた遅延信号とを拡声させて、該マイクロホンによって受音し、該マイクロホンの出力信号の減衰特性を測定する減衰特性測定工程を備え、該減衰特性に基づいて、該共鳴空間の共鳴周波数を検出する共鳴周波数検出方法であって、該基準周波数信号の断続的な繰り返しに同期して、該遅延時間が変化し、該基準周波数信号が、特定周波数の正弦波信号又は特定周波数を中心とした所定周波数幅内に成分を有する信号である。基準周波数信号は、マイクロホンの出力信号と一緒に遅延させてスピーカから拡声させてもよいし、遅延させずにスピーカから拡声させてもよい。
【００１４】
また、上記課題を解決するため、本願発明にかかるさらにもう一つの共鳴周波数検出装置は、音源手段と、信号出力手段と、測定手段とを備え、該音源手段は測定用信号を発生し、該測定用信号は、断続的に複数回繰り返される基準周波数信号であり、該基準周波数信号は、特定周波数の正弦波信号又は特定周波数を中心とした所定周波数幅内に成分を有する信号であり、該信号出力手段は、該音源手段からの測定用信号と、マイクロホンの出力信号とを入力可能であり、該信号出力手段は、該測定用信号と、該マイクロホンの出力信号を０以上の遅延時間で遅延させた遅延信号とをスピーカで拡声させるために出力可能であり、該信号出力手段は、該基準周波数信号の断続的な繰り返しに同期して該遅延時間を変化させ、該測定手段は、該マイクロホンの出力信号を入力可能であり、該測定手段は、該マイクロホンの出力信号の減衰特性を測定し、該減衰特性に基づいて、共鳴周波数を検出する。基準周波数信号は、マイクロホンの出力信号と一緒に遅延させてスピーカから拡声させてもよいし、遅延させずにスピーカから拡声させてもよい。
【００１５】
上記の方法・装置において、該遅延時間の変化に起因して該減衰特性が変化するか否かを判断し、該遅延時間の変化に起因して該減衰特性が変化すると判断したときは、該基準周波数信号の特定周波数を共鳴周波数とは判断しないようにしてもよい。
【００１６】
また、上記課題を解決するため、本願発明にかかるさらにもう一つの共鳴周波数検出方法は、共鳴空間に配置されたスピーカから、断続的に複数回繰り返される基準周波数信号と、該共鳴空間に配置されたマイクロホンの出力信号とを拡声させる第１拡声状態、または、該断続的に複数回繰り返される基準周波数信号と、該共鳴空間に配置されたマイクロホンの出力信号の位相を反転させた位相反転信号とを拡声させる第２拡声状態を選択し、該マイクロホンによって受音し、該マイクロホンの出力信号の減衰特性を測定する減衰特性測定工程を備え、該減衰特性に基づいて、該共鳴空間の共鳴周波数を検出する共鳴周波数検出方法であって、該基準周波数信号の断続的な繰り返しに同期して、拡声状態が、該第１拡声状態から該第２拡声状態へ、または、該第２拡声状態から該第１拡声状態へ変更され、該基準周波数信号が、特定周波数の正弦波信号又は特定周波数を中心とした所定周波数幅内に成分を有する信号である。基準周波数信号は、マイクロホンの出力信号と一緒に位相反転させてスピーカから拡声させてもよいし、位相反転させずにスピーカから拡声させてもよい。
【００１７】
また、上記課題を解決するため、本願発明にかかるさらにもう一つの共鳴周波数検出装置は、音源手段と、信号出力手段と、測定手段とを備え、該音源手段は測定用信号を発生し、該測定用信号は、断続的に複数回繰り返される基準周波数信号であり、該基準周波数信号は、特定周波数の正弦波信号又は特定周波数を中心とした所定周波数幅内に成分を有する信号であり、該信号出力手段は、該音源手段からの測定用信号と、マイクロホンの出力信号とを入力可能であり、該信号出力手段はその状態を、該測定用信号と、該マイクロホンの出力信号とをスピーカで拡声させるために出力する第１出力状態、または、該測定用信号と、該マイクロホンの出力信号の位相を反転させた位相反転信号とを該スピーカで拡声させるために出力する第２出力状態に、選択的に設定可能であり、該信号出力手段の状態は、該基準周波数信号の断続的な繰り返しに同期して、該第１出力状態から該第２出力状態へ、または、該第２出力状態から該第１出力状態へ変更され、該測定手段は、該マイクロホンの出力信号を入力可能であり、該測定手段は、該マイクロホンの出力信号の減衰特性を測定し、該減衰特性に基づいて、共鳴周波数を検出する。基準周波数信号は、マイクロホンの出力信号と一緒に位相反転させてスピーカから拡声させてもよいし、位相反転させずにスピーカから拡声させてもよい。
【００１８】
上記の方法において、該拡声状態の変更に起因して該減衰特性が変化するか否かを判断し、該拡声状態の変更に起因して該減衰特性が変化すると判断したときは、該基準周波数信号の特定周波数を共鳴周波数とは判断しないようにしてもよいし、上記の装置において、該測定手段は、該信号出力手段の状態の変更に起因して該減衰特性が変化するか否かを判断し、該信号出力手段の状態の変更に起因して該減衰特性が変化すると判断したときは、該基準周波数信号の特定周波数を共鳴周波数とは判断しないようにしてもよい。
【００１９】
また、上記の減衰特性に基づいて共鳴周波数を検出する方法・装置においては、基準周波数信号の特定周波数を変化させつつ、減衰特性の測定が複数回繰り返されるようにしてもよい。
【発明の効果】
【００２０】
本願発明によれば、経験や熟練を必要とせず、正確に共鳴周波数を検出することができ、また、ディップフィルタにディップの中心周波数として設定すべき周波数を適切に選択できる。
【発明を実施するための最良の形態】
【００２１】
この出願発明の実施形態を図面を参照しながら説明する。
【００２２】
図１は、拡声空間（例えば、コンサートホールや体育館のように共鳴の発生する共鳴空間）40に設置された音響システムの概略構成図である。この音響システムは、音源装置2と、ディップフィルタ4と、アンプ12と、スピーカ13とを備えている。音源装置2は、例えば、音楽ＣＤを再生するためのＣＤプレーヤのような演奏器機であってもよいし、マイクロホンであってもよい。図１では音源装置2を拡声空間40の外側に表しているが、音源装置2は、拡声空間40内に設置されていてもよい。例えば、音源装置2は、拡声空間40内に設置されたマイクロホンであってもよい。ディップフィルタ4は、音源装置2の出力信号から特定の周波数の信号成分を除去してアンプ12に送出するためのものである。ディップフィルタ4の出力信号はアンプ12で増幅されてスピーカ13に送出され、拡声空間40においてスピーカ13から拡声される。
【００２３】
この拡声空間40が共鳴周波数を有するとき、スピーカ13からの拡声音に共鳴周波数の成分が多く含まれると、拡声空間40において共鳴が起こり、スピーカ13からの音楽や話声が聞き取りにくくなる。しかし、この音響システムにおいて、ディップフィルタ4に適切な周波数特性を設定すると、スピーカ13からの拡声音の音質を損なうことなく、拡声空間40における共鳴を防止することができる。
【００２４】
本実施形態では、拡声空間40において共鳴周波数を検出し、また、検出された共鳴周波数のうちから、ディップフィルタ4にディップの中心周波数として設定すべき周波数を選択するのであるが、まず最初に図２〜２６を参照しつつ、拡声空間40において共鳴周波数を検出する方法・装置を説明する。
【００２５】
図２は、拡声空間（例えば、コンサートホールや体育館）40において振幅周波数特性を測定するためのシステムＳａの概略ブロック図である。このシステムＳａは、測定用信号を発する音源手段たる発信器11と、この発信器11が発する信号を入力して電力増幅するアンプ12と、このアンプ12の出力信号を入力して拡声するスピーカ13と、スピーカ13が放射する拡声音を受音するマイクロホン14と、マイクロホン14の出力信号を入力する測定器15とを備える。マイクロホン14は騒音計であってもよい。
【００２６】
スピーカ13とマイクロホン14とは、拡声空間40内に配置されている。マイクロホン14は、スピーカ13からの直接音に対して、拡声空間40内における反射音を充分大きなレベルで受音できる位置に配置されている。
【００２７】
発信器11は測定用信号として、周波数が時間的に変化するような正弦波信号を発する。つまり発信器11は、正弦波スイープ信号を発信する。この正弦波スイープ信号では、周波数スイープ中の各時点において正弦波のレベルは一定である。
【００２８】
測定器15は、時間的に中心周波数が変化するようなバンドパスフィルタを有している。このバンドパスフィルタは、発信器11が発信する正弦波スイープ信号の周波数の時間的変化に対応して、中心周波数を時間的に変化させる。よって測定器15は、マイクロホン14の出力信号のレベルをこのバンドパスフィルタを介して検出することにより、その時点における周波数の振幅特性を測定することができる。
【００２９】
図３は、拡声空間40において振幅周波数特性を測定するためのシステムＳｂの概略ブロック図である。このシステムＳｂは、図２のシステムＳａに、ある信号の合成のための経路を付加しただけのものである。つまり図３のシステムＳｂは、測定用信号を発する音源手段たる発信器11と、ミキシング装置16と、ミキシング装置16の出力信号を入力してこの信号を電力増幅するアンプ12と、このアンプ12の出力信号を入力して拡声するスピーカ13と、スピーカ13が放射する拡声音を受音するマイクロホン14と、マイクロホン14の出力信号を入力する測定器15とを備える。
【００３０】
スピーカ13とマイクロホン14とは、拡声空間40内において、図２のシステムＳａにおけると同一の位置に配置されている。図３のシステムＳｂにおける、発信器11、アンプ12、スピーカ13、マイクロホン14、測定器15は、図２のシステムＳａにおけるこれら器機と同一のものである。
【００３１】
図３のシステムＳｂが図２のシステムＳａと相違する点は、図２のシステムＳａでは、アンプ12が発信器11からの信号を入力しているのに対し、図３のシステムＳｂでは、アンプ12がミキシング装置16からの信号を入力している点である。図３のミキシング装置16は、発信器11からの測定用信号（正弦波スイープ信号）と、マイクロホン14の出力信号とを入力し、これら入力した信号を合成（ミキシング）し、この合成信号（ミキシング信号）を出力する。
【００３２】
図４は、図２のシステムＳａによって測定された拡声空間40の振幅周波数特性と、図３のシステムＳｂによって測定された拡声空間40の振幅周波数特性とを模式的に示す特性図である。図４において実線で示す曲線Ｃａが、図２のシステムＳａによる振幅周波数特性であり、破線で示す曲線Ｃｂが、図３のシステムＳｂによる振幅周波数特性である。
【００３３】
図２のシステムＳａも図３のシステムＳｂも、多数の周波数ポイントにおける振幅値を測定する。例えば測定対象となる周波数範囲において、１／１９２オクターブ間隔で振幅値を測定する。この多点（多数の周波数ポイント）での測定値を周波数軸上で平滑化せずに、拡声空間40の振幅周波数特性として曲線Ｃａ,Ｃｂに表しても良いし、何らかの方法によって周波数軸上で平滑化して、曲線Ｃａ,Ｃｂに表しても良い。このときの平滑化の方法には種々あるが、例えば移動平均によって平滑化してもよい。例えば、多数の周波数ポイントの測定値に対して周波数軸上で９ポイントの移動平均を施してもよい。なお、曲線Ｃａとして平滑化されたものを用いる場合は、曲線Ｃｂについても平滑化されたものを用いるのが好ましい。この場合にはさらに、曲線Ｃａに関する平滑化の方法と同一の平滑化の方法によって曲線Ｃｂを得ることが好ましい。例えば曲線Ｃａを、周波数軸上での９ポイントの移動平均により得るのであれば、曲線Ｃｂも、周波数軸上での９ポイントの移動平均により得るのが好ましい。
【００３４】
図４の実曲線Ｃａの振幅周波数特性は、アンプ12とスピーカ13とマイクロホン14とによる電気音響系の特性のみならず、拡声空間40の共鳴の特性をも包含するものである。図４の破曲線Ｃｂの振幅周波数特性も、アンプ12とスピーカ13とマイクロホン14とによる電気音響系の特性のみならず、拡声空間40の共鳴の特性をも包含するものであるが、マイクロホン14の出力信号がアンプ12に入力されてスピーカ13から出力されるというフィードバックループにより、拡声空間40の共鳴の特性が実曲線Ｃａの振幅周波数特性よりも大きく強調されて表れている。さらに図４の破曲線Ｃｂの振幅周波数特性には、マイクロホン14の出力信号がアンプ12に入力されてスピーカ13から出力されるというフィードバックループによる特性も含まれている。両曲線（実曲線Ｃａと破曲線Ｃｂ）の差から、拡声空間40の共鳴の特性とフィードバックの特性とを知ることができる。
【００３５】
図５に示す周波数特性は、図４の破曲線Ｃｂの特性から実曲線Ｃａの特性を差し引いた特性である。図５の特性曲線Ｄｂにおいて正の方向にピークを示す周波数は、周波数ｆ１、周波数ｆ２１ および 周波数ｆ３である。これらの正の方向にピークを示す周波数は、共鳴周波数であるか、または、フィードバック周波数である可能性が高い。拡声空間40における共鳴周波数の数は一のみとは限らず、複数である場合も多い。また、フィードバック周波数の数も一のみとは限らず、複数である場合も多い。周波数ｆ１、ｆ２１、ｆ３のうち、１以上の周波数が共鳴周波数であり、１以上の周波数がフィードバック周波数である可能性がある。
【００３６】
ここで言うフィードバック周波数は、図３のシステムＳｂにおけるフィードバック周波数である。フィードバックループは、マイクロホン14からスピーカ13までの電気系の経路と、スピーカ13からマイクロホン14までの音響系の経路とによって構成される。マイクロホン14は、拡声空間40の音響特性を測定するための測定用マイクロホンである。従って、例えば、拡声空間40に常設されるような電気音響システムにおけるディップフィルタに、このフィードバック周波数をディップ周波数として設定する必要はない。よって、図５における周波数ｆ１、周波数ｆ２１および周波数ｆ３のうちのどの周波数が共鳴周波数であるかを知ることが望ましい。つまり、共鳴周波数をフィードバック周波数とは区別して検出することができることが望ましい。そのためには、さらに図６に示すシステムＳｃによって測定を行うことが有効である。
【００３７】
図６は、拡声空間40において振幅周波数特性を測定するためのシステムＳｃ１、Ｓｃ２の概略ブロック図であり、(ａ）にシステムＳｃ１が、（ｂ）にシステムＳｃ２が示されている。このシステムＳｃ１、Ｓｃ２は、図３のシステムＳｂに、ディレイ装置17を付加しただけのものである。
【００３８】
つまり図６のシステムＳｃ１、Ｓｃ２は、測定用信号を発する音源手段たる発信器11と、ミキシング装置16と、信号を電力増幅するアンプ12と、このアンプ12の出力信号を入力して拡声するスピーカ13と、スピーカ13が放射する拡声音を受音するマイクロホン14と、マイクロホン14の出力信号を入力する測定器15と、ディレイ装置17とを備える。
【００３９】
スピーカ13とマイクロホン14とは、拡声空間40内において、図２のシステムＳａにおけると同一の位置に配置されている。図６のシステムＳｃ１、Ｓｃ２における、発信器11、アンプ12、スピーカ13、マイクロホン14、測定器15は、図２のシステムＳａにおけるこれら器機と同一のものである。これらの点で、図６のシステムＳｃ１、Ｓｃ２は、図３のシステムＳｂと共通する。
【００４０】
図６のシステムＳｃ１、Ｓｃ２が図３のシステムＳｂと相違する点は次の点である。すなわち、図３のシステムＳｂでは、ミキシング装置16は、発信器11からの測定用信号（正弦波スイープ信号）と、マイクロホン14の出力信号とを入力し、これら入力した信号を合成（ミキシング）し、この合成信号をアンプ12に送出している。
【００４１】
これに対し、図６（ａ）のシステムＳｃ１では、発信器11からの測定用信号（正弦波スイープ信号）と、マイクロホン14の出力信号との合成信号を、ディレイ装置17で遅延させてから、アンプ12に入力している。
【００４２】
また、図６（ｂ）のシステムＳｃ２では、ミキシング装置16は、発信器11からの測定用信号（正弦波スイープ信号）と、マイクロホン14の出力信号をディレイ装置17で遅延させた遅延信号とを入力し、これら入力した信号を合成（ミキシング）し、この合成信号をアンプ12に送出している。
【００４３】
いずれのシステム（システムＳｃ１、Ｓｃ２）においても、スピーカ13からは、測定用信号と、マイクロホン14の出力信号をディレイ装置17で遅延させた遅延信号とが拡声される。
【００４４】
図７は、図２のシステムＳａによって測定された拡声空間40の振幅周波数特性と、図６のシステムＳｃ１またはシステムＳｃ２によって測定された拡声空間40の振幅周波数特性とを模式的に示す特性図である。厳密に言うと、図６（ａ）のシステムＳｃ１で測定される振幅周波数特性と、図６（ｂ）のシステムＳｃ２で測定される振幅周波数特性は同一ではないが、ここではこれらを区別することなく説明する。
【００４５】
図７において実線で示す曲線Ｃａが、図２のシステムＳａによる振幅周波数特性であり、破線で示す曲線Ｃｃが、図６のシステムＳｃ１、Ｓｃ２による振幅周波数特性である。
【００４６】
図６のシステムＳｃ１、Ｓｃ２も、図２のシステムＳａや図３のシステムＳｂと同様に、多数の周波数ポイントにおける振幅値を測定する。例えば測定対象となる周波数範囲において、１／１９２オクターブ間隔で振幅値を測定する。この多点（多数の周波数ポイント）での測定値を周波数軸上で平滑化せずに、拡声空間40の振幅周波数特性として曲線Ｃａ,Ｃｃに表しても良いし、何らかの方法によって周波数軸上で平滑化して、曲線Ｃａ,Ｃｃに表しても良い。このときの平滑化の方法には種々あるが、例えば移動平均によって平滑化してもよい。例えば、多数の周波数ポイントの測定値に対して周波数軸上で９ポイントの移動平均を施してもよい。なお、曲線Ｃａとして平滑化されたものを用いる場合は、曲線Ｃｃについても平滑化されたものを用いるのが好ましい。この場合にはさらに、曲線Ｃａに関する平滑化の方法と同一の平滑化の方法によって曲線Ｃｃを得ることが好ましい。
【００４７】
前述したように、実曲線Ｃａの振幅周波数特性は、アンプ12とスピーカ13とマイクロホン14とによる電気音響系の特性のみならず、拡声空間40の共鳴の特性をも包含するものである。
【００４８】
図６のシステムＳｃ１、Ｓｃ２は、マイクロホン14の出力信号を遅延させた遅延信号がアンプ12に入力されてスピーカ13から出力されるというフィードバックループを含む。図７の破曲線Ｃｃの振幅周波数特性には、アンプ12とスピーカ13とマイクロホン14とによる電気音響系の特性が表れているのみならず、拡声空間40の共鳴の特性が実曲線Ｃａの振幅周波数特性よりも大きく強調されて表れている。さらに図７の破曲線Ｃｃの振幅周波数特性には、マイクロホン14の出力信号を遅延させた遅延信号がアンプ12に入力されてスピーカ13から出力されるというフィードバックループにより、このフィードバックによる特性も含まれている。
【００４９】
このように、拡声空間40の共鳴の特性が大きく強調されて表れており、フィードバックによる特性も表れているという点において、図７の破曲線Ｃｃは図４の破曲線Ｃｂと共通する。しかし、図６のシステムＳｃ１、Ｓｃ２はディレイ装置17を有するので、図６のシステムＳｃ１、Ｓｃ２のフィードバックループの構成は、図３のシステムＳｂのフィードバックループの構成と同一ではない。よって、図７の破曲線Ｃｃに表れるフィードバックによる特性は、図４の破曲線Ｃｂに表れるフィードバックによる特性と相違する。
【００５０】
図８に示す周波数特性は、図７の破曲線Ｃｃの特性から実曲線Ｃａの特性を差し引いた特性である。図８において正の方向にピークを示す周波数は、周波数ｆ１、周波数ｆ２２ および 周波数ｆ３である。これらの正の方向にピークを示す周波数は、共鳴周波数であるか、フィードバック周波数である可能性が高い。
【００５１】
ここで、図５に示す特性と図８に示す特性とを比較する。図５の周波数特性は、周波数ｆ１、周波数ｆ２１ および 周波数ｆ３において正の方向にピークを示し、図８の周波数特性は、周波数ｆ１、周波数ｆ２２ および 周波数ｆ３において正の方向にピークを示す。周波数ｆ１ および 周波数ｆ３は、両図の周波数特性において共通に正の方向にピークを示す周波数である。周波数ｆ２１は、図５の周波数特性においてのみ、正の方向にピークを示す周波数である。周波数ｆ２２は、図８の周波数特性においてのみ、正の方向にピークを示す周波数である。
【００５２】
前述したように、図７の破曲線Ｃｃに表れるフィードバックによる特性は、図４の破曲線Ｃｂに表れるフィードバックによる特性と相違する。よって、図５の周波数特性においてフィードバックに起因して正の方向にピークを示す周波数と、図８の周波数特性においてフィードバックに起因して正の方向にピークを示す周波数とは相違すると考えることができる。
【００５３】
一方、拡声空間40の共鳴に起因して正の方向にピークを示す周波数は、図５の周波数特性においても図８の周波数特性においても共通して表れると考えることができる。
【００５４】
以上のことから、周波数ｆ１および周波数ｆ３が拡声空間40の共鳴周波数であり、周波数ｆ２１が図３のシステムＳｂのフィードバックループに基づくフィードバック周波数であり、周波数ｆ２２が図６のシステムＳｃ１、Ｓｃ２のフィードバックループに基づくフィードバック周波数であると考えることができる。
【００５５】
よって、例えば図１の音響システムにおいて、ディップフィルタ4に対して、周波数ｆ１および周波数ｆ３をディップの中心周波数として設定すればよい。
【００５６】
上述の例では、図３のシステムＳｂにはディレイ装置が設けられていない。しかし、マイクロホン14の出力信号に０秒の遅延を施してミキシング装置16に送出したと考えることもできる。そうすると、図３のシステムＳｂと図６のシステムＳｃ１、Ｓｃ２の相違は、マイクロホン14の出力信号に対する遅延時間の相違であると考えることもできる。つまり、図３のシステムＳｂにおいても、図６のシステムＳｃ１、Ｓｃ２においても、マイクロホン14の出力信号に対して遅延を施してからミキシング装置16に送出しているのであるが、その遅延時間が図３のシステムＳｂと図６のシステムＳｃ１、Ｓｃ２とで異なると考えることができる。
【００５７】
さらには、図６のシステムＳｃ１、Ｓｃ２におけるディレイ装置17が、所定時間範囲において任意に遅延時間を設定できる装置であれば、図３のシステムＳｂを用いることなく、図６のシステムＳｃ１、Ｓｃ２を用いて、共鳴周波数をフィードバック周波数と区別して検出することができる。すなわち、図６のシステムＳｃ１、Ｓｃ２における測定を２回行うのである。但し２回の測定において、ディレイ装置17に設定する遅延時間が同一とならないようにしなければならない。例えば、１回目の測定では遅延時間を１ｍ秒とし、２回目の測定では遅延時間を２ｍ秒としてもよい。また、例えば、１回目の測定では遅延時間を０ｍ秒とし、２回目の測定では遅延時間を１ｍ秒としてもよい。
【００５８】
図６のシステムＳｃ１、Ｓｃ２において、ディレイ装置17に設定する遅延時間を変えると、フィードバックループの構成も変わる。よって、上述したように、図２のシステムＳａにおける測定を１回行い、図６のシステムＳｃ１、Ｓｃ２における測定を２回行うことによっても、共鳴周波数をフィードバック周波数と区別して検出することができるのである。
【００５９】
なお、１回目の測定と２回目の測定とで、遅延時間にどれだけの差（時間差）を設けるかに関して、次のような方法をとることもできる。つまり、図５において正の方向にピークを示す周波数（例えば周波数１）の周期に一致しない時間差を設けるようにするのである。
【００６０】
例えば、１回目の測定において２００Hzがフィードバック周波数であったとする。このような場合、１回目の測定における遅延時間と２回目の測定における遅延時間との時間差を、２００Hzの音波の周期である５ｍ秒にすると、２回目の測定においても２００Hzがフィードバック周波数となってしまう。そうすると結局、２００Hzが共鳴周波数であるのかフィードバック周波数であるのかを判断できなくなる。
【００６１】
よって、１回目の測定によって、共鳴周波数である可能性のある周波数（図５における周波数ｆ１、周波数ｆ２１および周波数ｆ３）を検出した後、２回目の測定によってこれら周波数が共鳴周波数であるかフィードバック周波数であるかを判断するためには、１回目の測定における遅延時間と２回目の測定における遅延時間との間に、これら周波数の周期に少なくとも一致しない時間差を設けるようにするのがよい。例えば、これら周波数の周期の４分の１の時間差を設けるようにするとよい。
【００６２】
図９は、本願発明に係る共鳴周波数検出装置の一実施形態たる検出装置201,202を含むシステムＳｄ１、Ｓｄ２の概略ブロック図であり、図９（ａ）に検出装置201、システムＳｄ１が示されており、図９（ｂ）に検出装置202、システムＳｄ２が示されている。
【００６３】
システムＳｄ１、Ｓｄ２は、検出装置201,202と、この検出装置201,202が発する信号を入力して電力増幅するアンプ12と、このアンプ12の出力信号を入力して拡声するスピーカ13と、スピーカ13が放射する拡声音を受音するマイクロホン14とを備える。検出装置201,202は、マイクロホン14の出力信号を入力している。スピーカ13とマイクロホン14とは、拡声空間（例えば、コンサートホールや体育館）40内に配置されている。マイクロホン14は、スピーカ13からの直接音に対して、拡声空間40内における反射音を充分大きなレベルで受音できる位置に配置されている。
【００６４】
検出装置201,202は、発信部21と、測定・制御部25と、ミキシング部26と、開閉部27と、遅延時間可変型のディレイ装置28とを備える。発信部21は測定用信号を発する音源手段として機能する。測定・制御部25は、検出装置201,202内の各部を制御する制御手段として機能し、また、周波数特性の測定を行う測定手段としても機能する。また、ディレイ装置28は遅延手段として機能する。また、ミキシング部26と開閉部27とディレイ装置28とで、信号切換手段が構成されている。
【００６５】
このシステムＳｄ１、Ｓｄ２では、検出装置201,202において、測定・制御部25が発信部21を制御して、発信部21から測定用信号を出力させる。この測定用信号は、周波数が時間的に変化するような正弦波信号、つまり正弦波スイープ信号である。この正弦波スイープ信号では、周波数スイープ中の各時点において、正弦波のレベルは一定である。
【００６６】
図６（ａ）の検出装置201においては、ミキシング部26は、発信部21からの信号と、開閉部27からの信号とを合成（ミキシング）して、その合成信号（ミキシング信号）を出力する。この合成信号はディレイ装置28で遅延させてから、アンプ12に入力され、電力増幅されてスピーカ13に入力され、スピーカ13から拡声音として拡声空間40に放射される。拡声空間40内の音はマイクロホン14で受音され、マイクロホン14の出力信号は、検出装置201に入力される。検出装置201においては、このマイクロホン14の出力信号が測定・制御部25と開閉部27とに分岐されて送出される。
【００６７】
一方、図６（ｂ）の検出装置202においては、ミキシング部26は、発信部21からの信号と、開閉部27からの信号とを合成（ミキシング）して、その合成信号（ミキシング信号）を出力する。ミキシング部26の出力信号はアンプ12で電力増幅されてスピーカ13に入力され、スピーカ13から拡声音として拡声空間40に放射される。拡声空間40内の音はマイクロホン14で受音され、マイクロホン14の出力信号は、検出装置202に入力される。検出装置202においては、このマイクロホン14の出力信号が測定・制御部25とディレイ装置28とに分岐されて送出される。ディレイ装置28の出力信号は開閉部27に送出される。
【００６８】
検出装置201,202においては、測定・制御部25は、時間的に中心周波数が変化するようなバンドパスフィルタを有している。このバンドパスフィルタは、発信部21が発信する正弦波スイープ信号の周波数の時間的変化に対応して、中心周波数を時間的に変化させる。よって測定・制御部25は、マイクロホン14の出力信号のレベルをこのバンドパスフィルタを介して検出することにより、その時点における周波数の振幅特性を測定することができる。
【００６９】
測定・制御部25は、開閉部27の開閉を制御することができる。よって、開閉部27を「開」状態にして、発信部21からの測定用信号のみをスピーカ13から拡声させることもできるし、開閉部27を「閉」状態にして、発信部21からの測定用信号と、マイクロホン14の出力信号の遅延信号とをスピーカ13から拡声させることもできる。
【００７０】
また、測定・制御部25は、ディレイ装置28に少なくとも２通りの遅延時間を設定することができる。
【００７１】
例えば、ディレイ装置28の遅延時間を、０ｍ秒と１ｍ秒のいずれか一方に任意に設定することができるようにしてもよいし、１ｍ秒と２ｍ秒のいずれか一方に任意に設定することができるようにしてもよい。また、０ｍ秒、１ｍ秒および２ｍ秒のうちのいずれかに任意に設定することができるようにしてもよい。
【００７２】
図９のシステムＳｄ１、Ｓｄ２において、開閉部27を「開」状態にすれば、図２のシステムＳａが測定したと同様の振幅周波数特性を測定することができる。
【００７３】
開閉部27を「閉」状態にし、ディレイ装置28の遅延時間を０ｍ秒に設定すれば、図３のシステムＳｂが測定したと同様の振幅周波数特性を測定することができる。
【００７４】
開閉部27を「閉」状態にし、ディレイ装置28の遅延時間を０以外の所定時間（例えば１ｍ秒）に設定すれば、図６のシステムＳｃ１、Ｓc２のディレイ装置１７に該所定時間（例えば１ｍ秒）を遅延時間として設定して測定したときと同様の振幅周波数特性を測定することができる。
【００７５】
このようにして測定された振幅周波数特性から、フィードバック周波数とは区別して、拡声空間40の共鳴周波数を検出することができることは、前述したとおりである。測定された振幅周波数特性から共鳴周波数を検出するための演算は、すべて測定・制御部25によってなされる。
【００７６】
以上では、システムＳｄ１、Ｓｄ２において、ディレイ装置28の遅延時間を０ｍ秒と０以外の所定時間（例えば１ｍ秒）に設定して共鳴周波数と検出する手順を説明した。しかし、システムＳｄ１、Ｓｄ２において、ディレイ装置28の遅延時間を０以外の第１の遅延時間（例えば１ｍ秒）と０以外の第２の遅延時間（例えば２ｍ秒）に設定して共鳴周波数を検出することもできる。要は遅延時間を２通りに切り換えることができればよいのである。そして、この２通りの遅延時間のうちの一方が０ｍ秒であってもよいし、両方が０以外の時間であってもよいのである。
【００７７】
図１０は、図９の検出装置201,202におけるディレイ装置28として採用することのできる構成の例を示す図である。図９のディレイ装置28（遅延時間可変型のディレイ装置）として、図１０（ａ）のようなディレイ装置28aを採用してもよいし、図１０（ｂ）のようなディレイ装置28bを採用してもよい。
【００７８】
図１０（ａ）のディレイ装置28aは、切換スイッチ２９と、遅延時間が０以外の所定時間（例えば１ｍ秒）に固定されたディレイ素子５０とを備える。切換スイッチ２９を切換制御することにより、ディレイ装置28aの遅延時間を０ｍ秒と、該所定時間（例えば１ｍ秒）とに切り換えることができる。
【００７９】
図１０（ｂ）のディレイ装置28bは、遅延時間を所定時間範囲で任意に設定できるディレイ素子５１を備える。ディレイ素子５１の遅延時間を、例えば０ｍ秒と１ｍ秒とに切り換え制御するようにしてもよいし、例えば１ｍ秒と２ｍ秒とに切り換え制御するようにしてもよい。
【００８０】
以上、拡声空間40に配置されたマイクロホン１４の出力信号に遅延を施すことによって、共鳴周波数をフィードバック周波数から区別して検出する装置・方法を説明した。
【００８１】
次に、拡声空間40に配置されたマイクロホン１４の出力信号の位相を反転させることによって、共鳴周波数をフィードバック周波数から区別して検出する装置・方法を説明する。
【００８２】
図１１は、拡声空間40において振幅周波数特性を測定するためのシステムＳｅ１、Ｓｅ２の概略ブロック図であり、図１１（ａ）にはシステムＳｅ１が示されており、図１１（ｂ）にはシステムＳｅ２が示されている。
【００８３】
このシステムＳｅ１、Ｓｅ２は、図３のシステムＳｂに、位相反転装置19を付加しただけのものである。つまり図１１のシステムＳｅ１、Ｓｅ２は、測定用信号を発する音源手段たる発信器11と、ミキシング装置16と、信号を電力増幅するアンプ12と、このアンプ12の出力信号を入力して拡声するスピーカ13と、スピーカ13が放射する拡声音を受音するマイクロホン14と、マイクロホン14の出力信号を入力する測定器15と、入力信号の位相を反転させて出力する位相反転装置19とを備える。
【００８４】
スピーカ13とマイクロホン14とは、拡声空間40内において、図２のシステムＳａにおけると同一の位置に配置されている。図１１のシステムＳｅ１、Ｓｅ２における、発信器11、アンプ12、スピーカ13、マイクロホン14、測定器15は、図２のシステムＳａにおけるこれら器機と同一のものである。これらの点で、図１１のシステムＳｅ１、Ｓｅ２は、図３のシステムＳｂと共通する。
【００８５】
図１１のシステムＳｅ１、Ｓｅ２が図３のシステムＳｂと相違する点は次の点である。すなわち、図３のシステムＳｂでは、ミキシング装置16は、発信器11からの測定用信号（正弦波スイープ信号）と、マイクロホン14の出力信号とを入力し、これら入力した信号を合成（ミキシング）してからアンプ12に送出している。
【００８６】
これに対し、図１１（ａ）のシステムＳｅ１では、ミキシング装置16は、発信器11からの測定用信号（正弦波スイープ信号）と、マイクロホン14の出力信号との合成信号を、位相反転装置19に入力して位相反転させてから、アンプ12に送出している。
【００８７】
また、図１１（ｂ）のシステムＳｅ２では、ミキシング装置16は、発信器11からの測定用信号（正弦波スイープ信号）と、マイクロホン14の出力信号を入力した位相反転装置19の出力信号とを入力し、これら入力した信号を合成（ミキシング）し、この合成信号をアンプ12に送出している。
【００８８】
いずれのシステム（システムＳe１、Ｓe２）においても、スピーカ13からは、測定用信号と、マイクロホン14の出力信号の位相を反転させた位相反転信号とが拡声される。
【００８９】
図１２は、図２のシステムＳａによって測定された拡声空間40の振幅周波数特性と、図１１のシステムＳｅ１、Ｓｅ２によって測定された拡声空間40の振幅周波数特性とを模式的に示す特性図である。厳密に言うと、図１１（ａ）のシステムＳe１で測定される振幅周波数特性と、図１１（ｂ）のシステムＳe２で測定される振幅周波数特性は同一ではないが、ここではこれらを区別することなく説明する。図１２において実線で示す曲線Ｃａが、図２のシステムＳａによる振幅周波数特性であり、破線で示す曲線Ｃｅが、図１１のシステムＳｅ１、Ｓｅ２による振幅周波数特性である。
【００９０】
図１１のシステムＳｅ１、Ｓｅ２も、図２のシステムＳａや図３のシステムＳｂと同様に、多数の周波数ポイントにおける振幅値を測定する。例えば測定対象となる周波数範囲において、１／１９２オクターブ間隔で振幅値を測定する。この多点（多数の周波数ポイント）での測定値を周波数軸上で平滑化せずに、拡声空間40の振幅周波数特性として曲線Ｃａ,Ｃｅに表しても良いし、何らかの方法によって周波数軸上で平滑化して、曲線Ｃａ,Ｃｅに表しても良い。このときの平滑化の方法には種々あるが、例えば移動平均によって平滑化してもよい。例えば、多数の周波数ポイントの測定値に対して周波数軸上で９ポイントの移動平均を施してもよい。なお、曲線Ｃａとして平滑化されたものを用いる場合は、曲線Ｃｅについても平滑化されたものを用いるのが好ましい。この場合にはさらに、曲線Ｃａに関する平滑化の方法と同一の平滑化の方法によって曲線Ｃｅを得ることが好ましい。
【００９１】
前述したように、実曲線Ｃａの振幅周波数特性は、アンプ12とスピーカ13とマイクロホン14とによる電気音響系の特性のみならず、拡声空間40の共鳴の特性をも包含するものである。
【００９２】
図１１のシステムＳｅ１、Ｓｅ２は、マイクロホン14の出力信号の位相反転信号がアンプ12に入力されてスピーカ13から出力されるというフィードバックループを含む。よって、図１２の破曲線Ｃｅの振幅周波数特性には、アンプ12とスピーカ13とマイクロホン14とによる電気音響系の特性が表れているのみならず、拡声空間40の共鳴の特性が実曲線Ｃａの振幅周波数特性よりも大きく強調されて表れている。さらに図１２の破曲線Ｃｅの振幅周波数特性には、マイクロホン14の出力信号の位相反転信号がアンプ12に入力されてスピーカ13から出力されるというフィードバックループにより、このフィードバックによる特性も含まれている。
【００９３】
このように、拡声空間40の共鳴の特性が大きく強調されて表れており、フィードバックによる特性も表れているという点において、図１２の破曲線Ｃｅは図４の破曲線Ｃｂと共通する。しかし、図１１のシステムＳｅ１,Ｓｅ２は位相反転装置19を有するため、図１１のシステムＳｅ１、Ｓｅ２のフィードバックループの構成は、図３のシステムＳｂのフィードバックループの構成と同一ではない。よって、図１２の破曲線Ｃｅに表れるフィードバックによる特性は、図４の破曲線Ｃｂに表れるフィードバックによる特性と相違する。
【００９４】
図１３に示す周波数特性は、図１２の破曲線Ｃｅの特性から実曲線Ｃａの特性を差し引いた特性である。図１３において正の方向にピークを示す周波数は、周波数ｆ１、周波数ｆ２３ および 周波数ｆ３である。これらの正の方向にピークを示す周波数は、共鳴周波数であるか、フィードバック周波数である可能性が高い。
【００９５】
ここで、図５に示す特性と図１３に示す特性とを比較する。図５の周波数特性は、周波数ｆ１、周波数ｆ２１ および 周波数ｆ３において正の方向にピークを示し、図１３の周波数特性は、周波数ｆ１、周波数ｆ２３ および 周波数ｆ３において正の方向にピークを示す。周波数ｆ１ および 周波数ｆ３は、両図の周波数特性において共通に正の方向にピークを示す周波数である。周波数ｆ２１は、図５の周波数特性においてのみ、正の方向にピークを示す周波数である。周波数ｆ２３は、図１３の周波数特性においてのみ、正の方向にピークを示す周波数である。
【００９６】
図１１のシステムＳｅ１、Ｓｅ２のフィードバックループの構成は、図３のシステムＳｂのフィードバックループの構成と異なる。よって、図１２の破曲線Ｃｅに表れるフィードバックによる特性は、図４の破曲線Ｃｂに表れるフィードバックによる特性と相違する。よって、図５の周波数特性においてフィードバックに起因して正の方向にピークを示す周波数と、図１３の周波数特性においてフィードバックに起因して正の方向にピークを示す周波数とは相違すると考えることができる。
【００９７】
一方、拡声空間40の共鳴に起因して正の方向にピークを示す周波数は、図５の周波数特性においても図１３の周波数特性においても共通して表れると考えることができる。
【００９８】
以上のことから、周波数ｆ１および周波数ｆ３が拡声空間40の共鳴周波数であり、周波数ｆ２１が図３のシステムＳｂのフィードバックループに基づくフィードバック周波数であり、周波数ｆ２３が図１１のシステムＳｅ１、Ｓｅ２のフィードバックループに基づくフィードバック周波数であると考えることができる。
【００９９】
よって、例えば図１の音響システムにおいて、ディップフィルタ4に対して、周波数ｆ１および周波数ｆ３をディップの中心周波数として設定すればよい。
【０１００】
図１４は、本願発明に係る共鳴周波数検出装置の一実施形態たる検出装置301,302を含むシステムＳｆ１、Ｓｆ２の概略ブロック図であり、図１４（ａ）には検出装置301、システムＳｆ１が示されており、図１４（ｂ）には検出装置302、システムＳｆ２が示されている。
【０１０１】
このシステムＳｆ１、Ｓｆ２は、検出装置301,302と、この検出装置301,302が発する信号を入力して電力増幅するアンプ12と、このアンプ12の出力信号を入力して拡声するスピーカ13と、スピーカ13が放射する拡声音を受音するマイクロホン14とを備える。検出装置301,302は、マイクロホン14の出力信号を入力している。スピーカ13とマイクロホン14とは、拡声空間（例えば、コンサートホールや体育館）40内に配置されている。マイクロホン14は、スピーカ13からの直接音に対して、拡声空間40内における反射音を充分大きなレベルで受音できる位置に配置されている。
【０１０２】
検出装置301,302は、発信部21と、測定・制御部25と、ミキシング部26と、開閉部27と、切換スイッチ31と位相反転装置32とを備える。発信部21は測定用信号を発する音源手段として機能する。測定・制御部25は、検出装置301,302内の各部を制御する制御手段として機能し、また、周波数特性の測定を行う測定手段としても機能する。また、位相反転装置32が位相反転手段として機能する。また、ミキシング部26と開閉部27と切換スイッチ31と位相反転装置32とで、信号切換手段が構成されている。
【０１０３】
このシステムＳｆ１、Ｓｆ２では、検出装置301,302において、測定・制御部25が発信部21を制御して、発信部21から測定用信号を出力させる。この測定用信号は、周波数が時間的に変化するような正弦波信号、つまり正弦波スイープ信号である。この正弦波スイープ信号では、周波数スイープ中の各時点において、正弦波のレベルは一定である。
【０１０４】
ミキシング部26は、発信部21からの信号と、開閉部27からの信号とを合成（ミキシング）して、その合成信号（ミキシング信号）を出力する。アンプ12に入力された信号は電力増幅されてスピーカ13に入力され、スピーカ13から拡声音として拡声空間40に放射される。拡声空間40内の音はマイクロホン14で受音され、マイクロホン14の出力信号は、検出装置301,302に入力される。
【０１０５】
図１４（ａ）の検出装置301においては、このマイクロホン14の出力信号が測定・制御部25と、開閉器27に分岐されて送出される。また、ミキシング部26の出力信号が、位相反転装置32と、切換スイッチ31とに分岐されて送出される。位相反転装置32の出力信号も切換スイッチ31に送出される。そして、切換スイッチ31からの信号がアンプ12に入力される。
【０１０６】
図１４（ｂ）の検出装置302においては、マイクロホン14の出力信号が測定・制御部25と、位相反転装置32と、切換スイッチ31とに分岐されて送出される。位相反転装置32の出力信号は切換スイッチ31に送出される。切換スイッチ31は開閉部27に接続されている。そして、ミキシング部26の出力信号がアンプ12に入力される。
【０１０７】
検出装置301,302の測定・制御部25は、時間的に中心周波数が変化するようなバンドパスフィルタを有している。このバンドパスフィルタは、発信部21が発信する正弦波スイープ信号の周波数の時間的変化に対応して、中心周波数を時間的に変化させる。よって測定・制御部25は、マイクロホン14の出力信号のレベルをこのバンドパスフィルタを介して検出することにより、その時点における周波数の振幅特性を測定することができる。
【０１０８】
測定・制御部25は、開閉部27の開閉を制御することができる。よって、開閉部27を「開」状態にして、発信部21からの測定用信号のみをスピーカ13から拡声させることもできるし、開閉部27を「閉」状態にして、発信部21からの測定用信号とマイクロホンの出力信号とをスピーカ13から拡声させることもできる。
【０１０９】
また、測定・制御部25は、切換スイッチ31の状態を制御することができる。よって、マイクロホン14の出力信号を位相を反転させずにスピーカ13から拡声させるか、マイクロホン14の出力信号を位相反転装置32を通過させることによってその位相を反転させてからスピーカ13から拡声させるかを選択できる。
【０１１０】
開閉部27を「開」状態にすれば、図２のシステムＳａが測定したと同様の振幅周波数特性を測定することができる。
【０１１１】
開閉部27を「閉」状態にし、かつ、マイクロホン14の出力信号を位相反転させることなくスピーカ13から拡声させるように切換スイッチ31の状態を設定すると、図３のシステムＳｂが測定したと同様の振幅周波数特性を測定することができる。
【０１１２】
開閉部27を「閉」状態にし、かつ、マイクロホン14の出力信号を位相反転させてからスピーカ13から拡声させるように切換スイッチ31の状態を設定すると、図１１のシステムＳｅ１、Ｓｅ２が測定したと同様の振幅周波数特性を測定することができる。
【０１１３】
このようにして測定された振幅周波数特性から、フィードバック周波数とは区別して、拡声空間40の共鳴周波数を検出することができることは、前述したとおりである。測定された振幅周波数特性から共鳴周波数を検出するための演算は、すべて測定・制御部25によってなされる。
【０１１４】
以上、拡声空間40に配置されたマイクロホン１４からの出力信号の位相を反転させることによって、共鳴周波数をフィードバック周波数から区別して検出する装置・方法を説明した。
【０１１５】
上記した装置・方法（図１〜図１４を参照しつつ説明した装置・方法）では、発信器又は発信部が測定用信号としての正弦波スイープ信号を発信するようにした。しかし、測定用信号としては、正弦波スイープ信号に限らず種々の信号を用いることができる。例えば、所定周波数幅内に成分を有するノイズ信号であって、その中心周波数がスイープするような信号を用いることもできる。この場合、該周波数幅は１／３オクターブ以下とするのが好ましい。また、１／６オクターブ以下とするのがより好ましい。また、測定用信号として例えばピンクノイズを用いることもできる。この場合はもちろん、測定器（測定手段）は、時間的に中心周波数が変化するようなバンドパスフィルタを有する必要はない。
【０１１６】
次に、拡声空間に配置されたスピーカから、基準周波数信号を出力することにより、共鳴周波数を検出する装置・方法を説明する。
【０１１７】
図１５は、拡声空間（例えば、コンサートホールや体育館）40において共鳴周波数を検出するためのシステムおよび検出装置（共鳴周波数検出装置）の概略ブロック図である。
【０１１８】
図１５のシステムＳｇは、測定用信号を発する音源手段たる発信器111と、この発信器111が発する信号を入力して電力増幅するアンプ12と、このアンプ12の出力信号を入力して拡声するスピーカ13と、スピーカ13が放射する拡声音を受音するマイクロホン14と、マイクロホン14の出力信号を入力する測定・制御部115とを備える。マイクロホン14は騒音計であってもよい。測定・制御部115は、発信器111を制御する。つまり、発信器111が出力する測定用信号の周波数や、測定用信号の時間間隔を制御することができる。測定・制御部115は、マイクロホン14の出力信号の減衰特性を測定する測定手段としても機能する。発信器111と測定・制御部115とによって、検出装置400が構成されている。
【０１１９】
スピーカ13とマイクロホン14とは、拡声空間40内に配置されている。マイクロホン14は、スピーカ13からの直接音に対して、拡声空間40内における反射音を充分大きなレベルで受音できる位置に配置されている。
【０１２０】
システムＳｇの発信器111が出力する測定用信号は、基準周波数信号が断続的に複数回繰り返される信号である。ここでの基準周波数信号とは、特定周波数の正弦波信号又は特定周波数を中心とした所定周波数幅内に成分を有する信号である。特定周波数を中心とした所定周波数幅内に成分を有する信号とは、例えば、２００Hzを中心に1/3オクターブ幅の周波数成分を有するノイズ信号などである。このような基準周波数信号を用いると、暗騒音等のノイズの影響を受けにくくなり、信頼性の高い測定が可能となる。
【０１２１】
図１６は、上述した測定用信号の信号レベルを時間軸上に表した図である。例えば特定周波数である２００Hzの正弦波が、０．１秒間持続して出力され、その後０．９秒の時間間隔を置いて再度０．１秒間持続して出力され、さらに０．９秒の時間間隔を置いて再度０．１秒間持続して出力される。つまり、１秒間隔で断続的に３回、０．１秒間持続する２００Hzの正弦波が出力されるのである。
【０１２２】
なお、図１６に示すように、この実施例では、０．１秒間持続する２００Hzの正弦波が、等時間間隔で複数回出力されるようにしているが、必ずしも等時間間隔で出力する必要はない。例えば、所定時間持続する特定周波数の正弦波が、ランダムな時間間隔で複数回出力されるようにしてもよい。
【０１２３】
図１７は、マイクロホン14で測定された音圧レベルを時間軸上に表した図である。図１６に示す測定用信号に同期するように、１秒間隔で３つのピーク点が生じている。しかし、音圧レベルの減衰は早い。このように拡声空間において音圧レベルの減衰が早い場合は、測定用信号の特定周波数（２００Hz）は共鳴周波数ではないと考えられる。
【０１２４】
図１８は、２５０Hzの特定周波数を有する測定用信号を図１５のシステムＳｇのスピーカ13から出力させたときに、マイクロホン14で測定される音圧レベルを時間軸上に表した図である。発信器111から、２５０Hzを特定周波数とする基準周波数信号が、０．１秒間持続して出力され、その後０．９秒の時間間隔を置いて再度０．１秒間持続して出力され、さらに０．９秒の時間間隔を置いて再度０．１秒間持続して出力される。つまり、１秒間隔で断続的に３回、０．１秒間持続する２５０Hzの正弦波が出力される。
【０１２５】
図１８から理解されるように、拡声空間40内で測定された音圧レベルにおいて、測定用信号に同期するように、１秒間隔で３つのピーク点が生じている。音圧レベルの減衰は緩やかである。このように拡声空間40において音圧レベルの減衰が緩やかである場合は、測定用信号の特定周波数（２５０Hz）が拡声空間40の共鳴周波数である可能性があると考えられる。
【０１２６】
このように、拡声空間40における音圧レベルの減衰特性から共鳴周波数を判断するのであれば、基準周波数信号を必ずしも複数回スピーカ13から放射する必要はない。例えば数秒間持続する基準周波数信号を１回だけスピーカ13から放射し、拡声空間40内における音圧レベルの減衰特性から共鳴周波数を判断することもできる。例えば、所定速度よりもゆっくりと減衰するか否かによって判断することもできる。
【０１２７】
また、拡声空間40における音圧レベルの減衰が緩やかであるか急速であるかを判断するには、例えば、図１８のように音圧レベルを時間軸上に表した図上において、その音圧レベル曲線で囲まれたエリアの面積を算出することにより判断してもよい。つまり、その面積が小さければ音圧レベルの減衰が急速であり、その面積が大きければ音圧レベルの減衰が緩やかであると判断するのである。
【０１２８】
図１９は、３００Hzの特定周波数を有する測定用信号を図１５のシステムＳｇのスピーカ13から出力させたときに、マイクロホン14で測定される音圧レベルを時間軸上に表した図である。発信器111から、３００Hzを特定周波数とする基準周波数信号が、０．１秒間持続して出力され、その後０．９秒の時間間隔を置いて再度０．１秒間持続して出力され、さらに０．９秒の時間間隔を置いて再度０．１秒間持続して出力される。つまり、１秒間隔で断続的に３回、０．１秒間持続する３００Hzの正弦波が出力される。
【０１２９】
図１９から理解されるように、拡声空間40内で測定された音圧レベルにおいて、測定用信号に同期するように、１秒間隔で３つのピーク点が生じている。音圧レベルの減衰は緩やかである。しかも、１回目のピークからの減衰よりも２回目のピークからの減衰の方が緩やかであり、２回目のピークからの減衰よりも３回目のピークからの減衰の方が緩やかである。このように、減衰が段々と緩やかになるのは、前回に出力された拡声音のエネルギーが次の拡声音が出力されるまで拡声空間40内に十分に残っているためであると考えられる。このような場合は、測定用信号の特定周波数（３００Hz）が拡声空間40の共鳴周波数である可能性が高いと考えられる。
【０１３０】
測定・制御部115によって、測定用信号の特定周波数を徐々に変化させながら、拡声空間40の音圧レベルの減衰過程の状態を判断することにより、拡声空間40の共鳴周波数を検出することができる。測定用信号の特定周波数を徐々に変化させる形態の一つとして、例えば、特定周波数を４８分の１オクターブづつ段階的に上昇させるような形態を採用することができる。
【０１３１】
図２０は、拡声空間（例えば、コンサートホールや体育館）40において共鳴周波数を検出するためのシステムおよび検出装置（共鳴周波数検出装置）の概略ブロック図である。
【０１３２】
図２０のシステムＳｈも、図１５のシステムＳｇと同様に、測定用信号を発する音源手段たる発信器111と、アンプ12と、このアンプ12の出力信号を入力して拡声するスピーカ13と、スピーカ13が放射する拡声音を受音するマイクロホン14と、マイクロホン14の出力信号を入力する測定・制御部115とを備える。測定・制御部115は、発信器111が出力する測定用信号の周波数や、測定用信号の時間間隔を制御することができる。測定・制御部115は、マイクロホン14の出力信号の減衰特性を測定する測定手段としても機能する。
【０１３３】
検出装置500は、発信器111と、測定・制御部115と、ミキシング装置116とで構成されている。
【０１３４】
図２０のシステムＳｈが図１５のシステムＳｇと相違する点は、図２０のシステムＳｈでは、発信器111からの測定用信号とマイクロホン14の出力信号とがミキシング装置116でミキシング（合成）され、この合成信号がアンプ12に送出される点である。ミキシング装置116は、信号出力手段として機能する。このようなフィードバックループを設けると、拡声空間40の共鳴がより強調されて測定されることは、前述したとおりである。
【０１３５】
図２０のシステムＳｈによっても、図１５のシステムＳｇと同様に、拡声空間40の共鳴周波数を検出することができる。しかも、図１５のシステムＳｇを使用したときよりも、より明確に共鳴周波数を検出できる。
【０１３６】
図２１は、拡声空間（例えば、コンサートホールや体育館）40において共鳴周波数を検出するためのシステムおよび検出装置（共鳴周波数検出装置）の概略ブロック図であり、図２１（ａ）はシステムＳｉ１、検出装置601を示し、図２１（ｂ）はシステムＳｉ２、検出装置602を示す。
【０１３７】
図２１のシステムＳｉ１、Ｓｉ２も、図１５のシステムＳｇと同様に、測定用信号を発する音源手段たる発信器111と、アンプ12と、このアンプ12の出力信号を入力して拡声するスピーカ13と、スピーカ13が放射する拡声音を受音するマイクロホン14と、マイクロホン14の出力信号を入力する測定・制御部115とを備える。測定・制御部115は、発信器111が出力する測定用信号の周波数や、測定用信号の時間間隔を制御することができる。測定・制御部115は、マイクロホン14の出力信号の減衰特性を測定する測定手段としても機能する。
【０１３８】
図２１（ａ）のシステムＳｉ１においては、検出装置601は、発信器111と、測定・制御部115と、ミキシング部116と、ディレイ装置128とで構成される。発信器111からの測定用信号と、検出装置601が入力したマイクロホン14の出力信号とが、ミキシング部116で合成され、その合成信号がディレイ装置128を介して、検出装置601から出力される。検出装置601の出力信号はアンプ12に送出される。また、検出装置601が入力したマイクロホン14の出力信号は、測定・制御部115とミキシング部116とに分岐して送出される。
【０１３９】
図２１（ｂ）のシステムＳｉ２においては、検出装置602は、発信器111と、測定・制御部115と、ミキシング部116と、ディレイ装置128とで構成される。発信器111からの測定用信号と、ディレイ装置128の出力信号がミキシング部116で合成され、その合成信号が検出装置601から出力される。検出装置601が入力したマイクロホン14の出力信号は、ディレイ装置128と測定・制御部115とに分岐して送出される。
【０１４０】
図２１のシステムＳｉ１、Ｓｉ２が図１５のシステムＳｇと相違する点は、図２１のシステムＳｉ１、Ｓｉ２では、スピーカ13から、発信器111からの測定用信号が拡声されるとともに、ディレイ装置128を通過したマイクロホン14の出力信号が拡声される点である。このようなフィードバックループを設けると、拡声空間40の共鳴がより強調されて測定されることは、前述したとおりである。なお、システムＳｉ１、Ｓｉ２の検出装置601,602においては、ミキシング部116とディレイ装置128とで、信号出力手段が構成されている。
【０１４１】
ディレイ装置128は、測定・制御部115によって制御される。すなわち、測定・制御部115は、ディレイ装置128の遅延時間を所定時間範囲内において任意に設定できる。例えば、ディレイ装置128は、ディレイ装置128の遅延時間を０ｍ秒に設定することもできるし、１ｍ秒に設定することもできるし、２ｍ秒に設定することもできる。
【０１４２】
このシステムＳｉ１、Ｓｉ２による測定においても、発振器111から、例えば特定周波数である２５０Hzの正弦波を、０．１秒間持続して出力させ、その後０．９秒の時間間隔を置いて再度０．１秒間持続して出力させ、さらに０．９秒の時間間隔を置いて再度０．１秒間持続して出力させるようにしてもよい。つまり、１秒間隔で断続的に３回、０．１秒間持続する２５０Hzの正弦波を出力させるのである。
【０１４３】
図２２は、上記のような測定用信号を検出装置601,602の発振器111から出力させたときに、マイクロホン14で測定される音圧レベルを時間軸上に表した図である。ただし、このときにはディレイ装置128の遅延時間を０ｍ秒に設定している。
【０１４４】
図２２から理解されるように、音圧レベル曲線には、測定用信号に同期するように、１秒間隔で３つのピーク点が生じている。音圧レベルの減衰は緩やかである。このように拡声空間において音圧レベルの減衰が緩やかである場合は、測定用信号の特定周波数（２５０Hz）が拡声空間40の共鳴周波数である可能性があると考えられる。しかし、この特定周波数（２５０Hz）が、共鳴周波数ではなく、フィードバック周波数である可能性もある。特定周波数（２５０Hz）が、フィードバック周波数であったとしても、音圧レベルの減衰は緩やかになる。
【０１４５】
そこで、この特定周波数（２５０Hz）が共鳴周波数であるのかフィードバック周波数であるのかを判断するために、ディレイ装置128の遅延時間を変化させながら、同様の測定を行う。発振器111は、０．１秒間持続する２５０Hzの正弦波を断続的に３回出力するのであるが、１回目の出力に同期させて拡声空間40の音圧レベルを測定するときにはディレイ装置128の遅延時間を例えば０ｍ秒に設定し、２回目の出力に同期させて拡声空間40の音圧レベルを測定するときにはディレイ装置128の遅延時間を例えば１ｍ秒に設定し、３回目の出力に同期させて拡声空間40の音圧レベルを測定するときにはディレイ装置128の遅延時間を例えば２ｍ秒に設定するのである。
【０１４６】
共鳴周波数は拡声空間40の特徴のみによって定まるのであるから、フィードバックループの構成が変化しても変化しない。特定周波数（２５０Hz）が共鳴周波数であれば、ディレイ装置128の遅延時間を変化させても、拡声空間40内で測定される音圧レベルの減衰の速度は変化しない。
【０１４７】
しかし、フィードバック周波数は、フィードバックループの構成が変化すると変化する。ディレイ装置128の遅延時間を変化させると、フィードバックループの構成が変化する。よって、特定周波数（２５０Hz）が、ディレイ装置128の遅延時間を０ｍ秒に設定したときのフィードバック周波数であれば、ディレイ装置128の遅延時間を変化させると、拡声空間40内で測定される音圧レベルの減衰の速度も変化する。
【０１４８】
図２３は、上記のようにディレイ装置128の遅延時間を変化させながら、上記のような測定用信号を発振器111から出力させたときに、マイクロホン14で測定される音圧レベルを時間軸上に表した図である。厳密に言うと、図２１（ａ）のシステムＳｉ１で測定される音圧レベル曲線と、図２１（ｂ）のシステムＳｉ２で測定される音圧レベル曲線は同一ではないが、ここではこれらを区別することなく説明する。
【０１４９】
図２３から理解されるように、音圧レベル曲線には、測定用信号に同期するように、１秒間隔で３つのピーク点が生じている。発振器111からの１回目の出力に対応する拡声空間40の音圧レベルは緩やかに減衰している。２回目の出力に対応する拡声空間40の音圧レベルは比較的速く減衰している。３回目の出力に対応する拡声空間40の音圧レベルはやや緩やかに減衰している。
【０１５０】
このように、ディレイ装置128の遅延時間を変化させることによって、拡声空間40の音圧レベルの減衰の速度が変化しているので、測定用信号の特定周波数（２５０Hz）は、共鳴周波数ではないと判断することができる。
【０１５１】
測定・制御部115によって、測定用信号の特定周波数を徐々に変化させながら、拡声空間40の音圧レベルの減衰過程の状態を上記のように判断することにより、拡声空間40の共鳴周波数をフィードバック周波数と区別して検出することができる。
【０１５２】
図２４は、拡声空間（例えば、コンサートホールや体育館）40において共鳴周波数を検出するためのシステムおよび検出装置（共鳴周波数検出装置）の概略ブロック図であり、図２４（ａ）にはシステムＳｊ１、検出装置701が示されており、図２４（ｂ）にはシステムＳｊ２、検出装置702が示されている。
【０１５３】
図２４のシステムＳｊ１、Ｓｊ２も、図１５のシステムＳｇと同様に、測定用信号を発する音源手段たる発信器111と、アンプ12と、このアンプ12の出力信号を入力して拡声するスピーカ13と、スピーカ13が放射する拡声音を受音するマイクロホン14と、マイクロホン14の出力信号を入力する測定・制御部115とを備える。測定・制御部115は、発信器111が出力する測定用信号の周波数や、測定用信号の時間間隔を制御することができる。測定・制御部115は、マイクロホン14の出力信号の減衰特性を測定する測定手段としても機能する。
【０１５４】
図２４（ａ）の検出装置701は、音源手段としての発信器111と、測定・制御部115と、ミキシング部116と、切換スイッチ131と位相反転装置132とを備える。この検出装置701においては、マイクロホン14の出力信号が、測定・制御部115と、ミキシング部116とに分岐されて送出される。ミキシング部116には発信器111からの測定用信号も入力される。ミキシング部116でマイクロホン14の出力信号と発信器111からの測定用信号とが合成され、この合成信号が、位相反転装置132と、切換スイッチ131とに分岐されて送出される。位相反転装置132の出力信号も切換スイッチ131に送出される。そして、切換スイッチ131からの信号がアンプ12に送出される。
【０１５５】
図２４（ｂ）の検出装置702は、音源手段としての発信器111と、測定・制御部115と、ミキシング部116と、切換スイッチ131と位相反転装置132とを備える。この検出装置702においては、マイクロホン14の出力信号が、測定・制御部115と、位相反転装置132と、切換スイッチ131とに分岐されて送出される。位相反転装置132の出力信号は切換スイッチ131に送出される。切換スイッチ31の出力信号は、ミキシング部116に送出される。ミキシング部116には発信器111からの測定用信号も入力される。ミキシング部116で発信器111からの測定用信号と切換スイッチ131からの信号とが合成され、この合成信号がアンプ12に送出される。
【０１５６】
システムＳｊ１、Ｓｊ２においては、スピーカ13から、測定用信号が拡声される。また、スピーカ13からは、マイクロホン14の出力信号が、または、このマイクロホン14の出力信号を位相反転させた位相反転信号が拡声される。なお、システムＳｊ１、Ｓｊ２の検出装置701,702においては、ミキシング部116と切換スイッチ131と位相反転装置132とで、信号出力手段が構成されている。
【０１５７】
スピーカ13から、マイクロホン14の出力信号を位相反転させずに拡声させるか、位相反転させてから拡声させるかは、切換スイッチ131を切り換えることにより選択できる。切換スイッチ131は、測定・制御部115によって制御される。よって測定・制御部115は、スピーカ13から、マイクロホン14の出力信号を位相反転させずに拡声させるか、位相反転させてから拡声させるかを選択できる。
【０１５８】
システムＳｊ１、Ｓｊ２もフィードバックループを含むのであるが、このようなフィードバックループを設けると拡声空間40の共鳴がより強調されて測定されることは、前述したとおりである。
【０１５９】
マイクロホン14の出力信号を位相反転させずにスピーカ13から拡声させるように切換スイッチ131を設定したときと、マイクロホン14の出力信号を位相反転させてからスピーカ13から拡声させるように切換スイッチ131を設定したときとでは、フィードバックループの構成が異なる。
【０１６０】
このシステムＳｊ１、Ｓｊ２による測定においても、発振器111から、例えば特定周波数である２５０Hzの正弦波を、０．１秒間持続して出力させ、その後０．９秒の時間間隔を置いて再度０．１秒間持続して出力させ、さらに０．９秒の時間間隔を置いて再度０．１秒間持続して出力させるようにしてもよい。つまり、１秒間隔で断続的に３回、０．１秒間持続する２５０Hzの正弦波を出力させるのである。
【０１６１】
図２５は、システムＳｊ１、Ｓｊ２において、上記のような測定用信号を発振器111から出力させたときに、マイクロホン14で測定される音圧レベルを時間軸上に表した図である。ただしこのときには、マイクロホン14の出力信号を位相を反転させずにスピーカ13から拡声させることができるように、切換スイッチ131の状態が設定されている。
【０１６２】
図２５から理解されるように、音圧レベル曲線には、測定用信号に同期するように、１秒間隔で３つのピーク点が生じている。音圧レベルの減衰は緩やかである。
【０１６３】
前述したように、拡声空間において音圧レベルの減衰が緩やかである場合は、測定用信号の特定周波数（２５０Hz）が拡声空間40の共鳴周波数である可能性があると考えられるが、この特定周波数（２５０Hz）が、共鳴周波数ではなく、フィードバック周波数である可能性もある。特定周波数（２５０Hz）が、フィードバック周波数であったとしても、音圧レベルの減衰は緩やかになる。
【０１６４】
そこで、この特定周波数（２５０Hz）が共鳴周波数であるのかフィードバック周波数であるのかを判断するために、切換スイッチ131を切り換えながら、同様の測定を行う。発振器111は、０．１秒間持続する２５０Hzの正弦波を断続的に３回出力するのであるが、例えば、１回目の出力に同期して拡声空間40の音圧レベルを測定するときには、マイクロホン14の出力信号を位相を反転させずにスピーカ13で拡声することができる状態に切換スイッチ131を設定し、２回目の出力に同期して拡声空間40の音圧レベルを測定するときには、マイクロホン14の出力信号を位相反転装置132で位相反転させてからスピーカ13で拡声することができる状態に切換スイッチ131を設定し、３回目の出力に同期して拡声空間40の音圧レベルを測定するときには、マイクロホン14の出力信号を位相を反転させずにスピーカ13で拡声することができる状態に切換スイッチ131を設定する。
【０１６５】
前述したように、共鳴周波数は拡声空間40の特徴のみによって定まるのであり、フィードバックループの構成が変化しても変化しない。特定周波数（２５０Hz）が共鳴周波数であれば、フィードバックループの構成が変化しても拡声空間40の音圧レベルの減衰の速度は変化しない。
【０１６６】
しかし、前述したとおり、フィードバック周波数は、フィードバックループの構成の変化によって変化する。マイクロホン14の出力信号を位相反転させないようなフィードバックループと、マイクロホン14の出力信号を位相反転させるようなフィードバックループとは、その構成が異なる。よって、特定周波数（２５０Hz）が、マイクロホン14の出力信号を位相反転させないようなフィードバックループに起因するフィードバック周波数であれば、フィードバックループの構成を、マイクロホン14の出力信号を位相反転させるようなものに変化させると、拡声空間40の音圧レベルの減衰の速度も変化する。
【０１６７】
図２６は、システムＳｊ１、Ｓｊ２において、切換スイッチ131を切り換えながら、上記のような測定用信号を発振器111から出力させたときに、マイクロホン14で測定された音圧レベルを時間軸上に表した図である。厳密に言うと、図２４（ａ）のシステムＳｊ１で測定される音圧レベル曲線と、図２４（ｂ）のシステムＳｊ２で測定される音圧レベル曲線は同一ではないが、ここではこれらを区別することなく説明する。
【０１６８】
図２６から理解されるように、音圧レベル曲線には、測定用信号に同期するように、１秒間隔で３つのピーク点が生じている。発振器111からの１回目の出力に同期して拡声空間40の音圧レベルを測定したとき、音圧レベルは緩やかに減衰している。２回目の出力に同期して拡声空間40の音圧レベルを測定したとき、音圧レベルは急速に減衰している。３回目の出力に同期して拡声空間40の音圧レベルを測定したとき、音圧レベルは緩やかに減衰している。
【０１６９】
このように、マイクロホン14の出力信号を位相反転させてスピーカ13で拡声させるか、位相反転させずにスピーカ13で拡声させるかによって、拡声空間40の音圧レベルの減衰の速度が変化しているので、測定用信号の特定周波数（２５０Hz）は、共鳴周波数ではないと判断することができる。
【０１７０】
測定・制御部115によって、測定用信号の特定周波数を徐々に変化させながら、拡声空間40の音圧レベルの減衰過程の状態を上記のように判断することにより、拡声空間40の共鳴周波数をフィードバック周波数と区別して検出することができる。
【０１７１】
以上、図１〜２６を参照しつつ、拡声空間40における共鳴周波数を検出するための種々の装置・方法を説明した。
【０１７２】
次に、このようにして検出された共鳴周波数のうちから、ディップフィルタ4（図１参照）にディップの中心周波数として設定すべき周波数を選択する方法を説明する。
【０１７３】
先に、図２のシステムＳａと図３のシステムＳｂとを用いた測定により、図４に示すような周波数特性と図５に示すような周波数特性とが得られることを説明した。さらに、図５の特性曲線Ｄｂにおいて正の方向にピークを示す周波数である、周波数ｆ１、周波数ｆ２１ および 周波数ｆ３が、共鳴周波数であるか、フィードバック周波数である可能性が高いということを説明した。
【０１７４】
以下、説明を簡明にするために、これらの周波数（周波数ｆ１、周波数ｆ２１ および 周波数ｆ３）の全てが共鳴周波数であることを前提として、ディップフィルタ4（図１参照）にディップの中心周波数として設定すべき周波数をどのようにして選択するかを説明する。
【０１７５】
まず、周波数ｆ１、周波数ｆ２１ および 周波数ｆ３の内から所定数の周波数を、ディップフィルタ4に除去周波数として設定すべきディップの中心周波数の候補として選ぶ。
具体的には、これら周波数の内から、図４における曲線Ｃｂの振幅レベルが大きなものから順番に、候補の周波数を選ぶ。
【０１７６】
図２７は、図４から曲線Ｃｂのみを取り出した特性図である。図２７においては縦軸、横軸とも対数軸であり、縦軸は振幅レベルを横軸は周波数を示す。図２７の曲線Ｃｂでは、周波数ｆ２１における振幅レベルが最も大きく、ｆ３における振幅レベルがその次に大きく、ｆ１における振幅レベルがその次に大きい。ここで、候補として選ぶ周波数の数を「３」とするのであれば、周波数ｆ１、周波数ｆ２１、周波数ｆ３のすべてが、候補の周波数となる。また、候補として選ぶ周波数の数を「２」とするのであれば、周波数ｆ２１、周波数ｆ３が候補の周波数となる。
【０１７７】
そして、図２７の曲線Ｃｂの振幅レベルの大きさに基づく優先順位によって、ディップフィルタ4に設定すべきディップの中心周波数を決定してもよい。よって、図１のディップフィルタ4に設定すべきディップの数が、例えば「２」であれば、周波数ｆ２１と周波数ｆ３とを、ディップフィルタ4のディップの中心周波数として設定する。また、例えば、図１のディップフィルタ4に設定すべきディップの数が「１」であれば、周波数ｆ２１のみをディップフィルタ4のディップの中心周波数として設定する。
【０１７８】
このように、図２７の曲線Ｃｂの振幅レベルの大きさに基づく優先順位によって、ディップフィルタ4に設定すべきディップの中心周波数を最終的に決定してもよいが、図２７の曲線Ｃｂの振幅レベルの大きさに基づく優先順位によってディップフィルタ4に設定すべき複数のディップの中心周波数の候補を選んだ上で、さらに図５の曲線Ｄｂにおける振幅レベルの大きさに基づいて、候補（ディップフィルタに設定すべきディップの中心周波数の候補）の順位を付け替えても良い。
【０１７９】
今、図２７の曲線Ｃｂの振幅レベルの大きさに基づく選択によって、周波数ｆ１、周波数ｆ２１、周波数ｆ３のすべてが候補の周波数となっているとする。次に、これら候補の周波数（周波数ｆ１,ｆ２１,ｆ３）に候補の順位を付け替える。順位は、図５の振幅周波数特性曲線Ｄｂにおける振幅レベルが大きいものから高く付けるようにする。周波数ｆ１,ｆ２１,ｆ３のうち、図５の曲線Ｄｂにおける振幅レベルが最も大きいのは周波数ｆ３であり、その次に振幅レベルが大きいのは周波数ｆ２１であり、その次に振幅レベルが大きいのは周波数ｆ１である。よって、周波数ｆ３が第１候補の周波数となり、周波数ｆ２１が第２候補の周波数となり、周波数ｆ１が第３候補の周波数となる。
【０１８０】
図１のディップフィルタ4に設定すべきディップの数が、例えば「２」であれば、周波数ｆ３と周波数ｆ２１とを、ディップフィルタ4のディップの中心周波数として設定する。また、例えば、図１のディップフィルタ4に設定すべきディップの数が「１」であれば、周波数ｆ３のみをディップフィルタ4のディップの中心周波数として設定する。
【０１８１】
このようにして、経験や熟練を必要とせず、ディップフィルタ4に設定すべきディップの中心周波数を客観的に選択することができる。そうすることによって、図１の拡声空間40における共鳴を有効に防止することができる。
【０１８２】
なお、図２７の曲線Ｃｂの振幅レベルの大きさに基づく優先順位によってディップフィルタ4に設定すべき複数のディップの中心周波数の候補を選んだ上で、さらに図５の曲線Ｄｂにおける振幅レベルの大きさに基づいて、候補（ディップフィルタに設定すべきディップの中心周波数の候補）の順位を付け替えたのは次の理由による。すなわち、図２７の曲線Ｃｂは拡声空間40の共鳴による特性のみならず、電気音響系（アンプ12、スピーカ13、マイクロホン14等からなる系）の振幅周波数特性をも包含しており、拡声空間40の共鳴の特性のみならず、電気音響系の振幅周波数特性にも大きく依存した特性となっている。これに対して図５の曲線Ｄｂは、拡声空間40の共鳴による特性が顕著に表れており、電気音響系の振幅周波数特性の影響は小さい。よって、図５の曲線Ｄｂにおける振幅レベルの大きさに基づいてディップフィルタ4に設定すべきディップの中心周波数を最終的に決定した方が、拡声空間40の共鳴防止のためにはより効果的なのである。
【０１８３】
ディップフィルタに設定すべきディップの数や検出された共鳴周波数の数がより多数である場合にも、上記の共鳴周波数選択方法は有効である。例えば、検出された共鳴周波数が２００以上ある場合に、図２７の曲線Ｃｂにおいて振幅レベルの大きなものから１２０の周波数を候補として残し、残りの周波数は候補から除外するようにしてもよい。そしてさらに、この１２０の周波数に対して図５の曲線Ｄｂにおける振幅レベルの大きさに基づいて候補の順位を付け替え、付け替えられた順位において上位の８位までの周波数をディップフィルタにディップの中心周波数として設定するようにしてもよい。
【０１８４】
以上、図１〜２７に基づいて、本願発明の実施形態を説明した。
【０１８５】
上記実施形態では、音響設備が配される拡声空間における共鳴周波数の検出に、本願発明の共鳴周波数検出方法およびその装置を適用する例を示したが、本願発明の共鳴周波数検出方法およびその装置はこのような拡声空間のみならず、共鳴周波数検出が必要となるあらゆる空間（拡声空間）に適用できる。例えば、液体タンク内の液体充填量を知るために、該タンクにおいて液体で充たされない空間の容積を、共鳴周波数を検出することによって測定する技術にも適用できる。
【産業上の利用可能性】
【０１８６】
本願発明によれば、経験や熟練を必要とせず、正確に共鳴周波数を検出することができ、また、ディップフィルタにディップの中心周波数として設定すべき周波数を適切に選択できる。よって、例えば電気音響の技術分野において有益である。
【図面の簡単な説明】
【０１８７】
【図１】拡声空間（例えば、コンサートホールや体育館）に設置された音響システムの概略構成図である。
【図２】拡声空間（例えば、コンサートホールや体育館）において振幅周波数特性を測定するためのシステムの概略ブロック図である。
【図３】拡声空間において振幅周波数特性を測定するためのシステムの概略ブロック図である。
【図４】図２のシステムによって測定された拡声空間の振幅周波数特性と、図３のシステムによって測定された拡声空間の振幅周波数特性とを模式的に示す特性図である。
【図５】図４の破曲線Ｃｂの特性から実曲線Ｃａの特性を差し引いた周波数特性図である。
【図６】拡声空間において振幅周波数特性を測定するためのシステムの概略ブロック図である。
【図７】図２のシステムによって測定された拡声空間の振幅周波数特性と、図６のシステムによって測定された拡声空間の振幅周波数特性とを模式的に示す特性図である。
【図８】図７の破曲線Ｃｃの特性から実曲線Ｃａの特性を差し引いた周波数特性図である。
【図９】本願発明に係る共鳴周波数検出装置の一実施形態たる検出装置を含むシステムの概略ブロック図である。
【図１０】図９の検出装置におけるディレイ装置として採用することのできる構成の例を示す図である。
【図１１】拡声空間において振幅周波数特性を測定するためのシステムの概略ブロック図である。
【図１２】図２のシステムによって測定された拡声空間の振幅周波数特性と、図１１のシステムによって測定された拡声空間の振幅周波数特性とを模式的に示す特性図である。
【図１３】図１２の破曲線Ｃｅの特性から実曲線Ｃａの特性を差し引いた周波数特性図である。
【図１４】本願発明に係る共鳴周波数検出装置の一実施形態たる検出装置を含むシステムの概略ブロック図である。
【図１５】拡声空間（例えば、コンサートホールや体育館）において共鳴周波数を検出するためのシステムの概略ブロック図である。
【図１６】測定用信号の信号レベルを時間軸上に表した図である。
【図１７】マイクロホンで測定された音圧レベルを時間軸上に表した図である。
【図１８】マイクロホンで測定される音圧レベルを時間軸上に表した図である。
【図１９】マイクロホンで測定される音圧レベルを時間軸上に表した図である。
【図２０】拡声空間（例えば、コンサートホールや体育館）において共鳴周波数を検出するためのシステムの概略ブロック図である。
【図２１】拡声空間（例えば、コンサートホールや体育館）において共鳴周波数を検出するためのシステムの概略ブロック図である。
【図２２】マイクロホンで測定される音圧レベルを時間軸上に表した図である。
【図２３】マイクロホンで測定される音圧レベルを時間軸上に表した図である。
【図２４】拡声空間（例えば、コンサートホールや体育館）において共鳴周波数を検出するためのシステムの概略ブロック図である。
【図２５】マイクロホンで測定される音圧レベルを時間軸上に表した図である。
【図２６】マイクロホンで測定された音圧レベルを時間軸上に表した図である。
【図２７】図４から曲線Ｃｂのみを取り出した特性図である。
【符号の説明】
【０１８８】
11  発信器
12  アンプ
13  スピーカ
14  マイクロホン
15  測定器
16  ミキシング装置
17  ディレイ装置
19  位相反転装置
21  発信部
25  測定・制御部
26  ミキシング部
27  開閉部
28  ディレイ装置
31  切換スイッチ
32  位相反転装置
40  拡声空間
111  発信器
115  測定・制御部
116  ミキシング装置
128  ディレイ装置
131  切換スイッチ
132  位相反転装置
201,202,301,302,400,500,601,602,701,702  検出装置
【図１】
2008252932.tif 000003
【図２】
2008252932.tif 000004
【図３】
2008252932.tif 000005
【図４】
2008252932.tif 000006
【図５】
2008252932.tif 000007
【図６】
2008252932.tif 000008
【図７】
2008252932.tif 000009
【図８】
2008252932.tif 000010
【図９】
2008252932.tif 000011
【図１０】
2008252932.tif 000012
【図１１】
2008252932.tif 000013
【図１２】
2008252932.tif 000014
【図１３】
2008252932.tif 000015
【図１４】
2008252932.tif 000016
【図１５】
2008252932.tif 000017
【図１６】
2008252932.tif 000018
【図１７】
2008252932.tif 000019
【図１８】
2008252932.tif 000020
【図１９】
2008252932.tif 000021
【図２０】
2008252932.tif 000022
【図２１】
2008252932.tif 000023
【図２２】
2008252932.tif 000024
【図２３】
2008252932.tif 000025
【図２４】
2008252932.tif 000026
【図２５】
2008252932.tif 000027
【図２６】
2008252932.tif 000028
【図２７】
2008252932.tif 000029